(57)【要約】電気通信システムは、モバイル電話を有するインフォスフィアを含んでいる。第１の電気通信デバイスは、レジストリ・サーバへ要求を送ることによって、インフォスフィアに追加されることを要求することができる。この要求に応じて、レジストリ・サーバは、第１の電気通信デバイスのネットワーク・アドレスを生成することによって、インフォスフィアへ第１の電気通信デバイスを追加する。ここで、ネットワーク・アドレスは、モバイル電話の電話番号に関連付けられている。電気通信システムの幾つかの実施形態では、レジストリ・サーバは、インフォスフィアに第１の電気通信デバイスを追加する前に、インフォスフィア内の第２の電気通信デバイスからの許可を要求することができる。
2009514440.tif 000002
【特許請求の範囲】
【請求項１】
レジストリ・サーバであって、
モバイル電話を有するインフォスフィアに電気通信デバイスを追加する要求を前記電気通信デバイスから受信し、その要求に応じて、前記電気通信デバイスのネットワーク・アドレスを生成することにより、前記インフォスフィアに前記電気通信デバイスを追加するように構成されたプロセッサを備え、
前記ネットワーク・アドレスは、前記モバイル電話の電話番号と関連付けられているレジストリ・サーバ。
【請求項２】
前記ネットワーク・アドレスは、前記モバイル電話の電話番号と、前記電気通信デバイスを識別する情報とを備える請求項１に記載のレジストリ・サーバ。
【請求項３】
前記電気通信デバイスを識別する情報が、前記モバイル電話の電話番号の終わりに追加される請求項２に記載のレジストリ・サーバ。
【請求項４】
前記プロセッサは更に、前記電気通信デバイスのネットワーク・アドレスを、前記電気通信デバイスのＩＰアドレスへマップするように構成された請求項１に記載のレジストリ・サーバ。
【請求項５】
前記プロセッサは更に、前記インフォスフィア内の電気通信デバイスへのアクセスを試みる第２の電気通信デバイスから、前記ネットワーク・アドレスを受信し、前記ネットワーク・アドレスを受信すると、前記インフォスフィア内の電気通信デバイスのＩＰアドレスを前記第２の電気通信デバイスに提供するように構成された請求項４に記載のレジストリ・サーバ。
【請求項６】
前記第２の電気通信デバイスは、前記インフォスフィアの一部である請求項５に記載のレジストリ・サーバ。
【請求項７】
前記第２の電気通信デバイスは、前記モバイル電話を備える請求項６に記載のレジストリ・サーバ。
【請求項８】
前記第２の電気通信デバイスは、前記インフォスフィア外の電気通信デバイスを備える請求項５に記載のレジストリ・サーバ。
【請求項９】
前記プロセッサは更に、前記インフォスフィアに前記電気通信デバイスを追加する許可を得るために前記モバイル電話と通信するように構成された請求項１に記載のレジストリ・サーバ。
【請求項１０】
前記プロセッサは更に、ショート・メッセージ・サービス（ＳＭＳ）によって前記モバイル電話と通信するように構成された請求項９に記載のレジストリ・サーバ。
【請求項１１】
電気通信デバイスであって、
モバイル電話の電話番号をレジストリ・サーバに提供することによって、前記モバイル電話を有するインフォスフィアに前記電気通信デバイスを追加するために前記レジストリ・サーバと通信するように構成されたプロセッサを備えた電気通信デバイス。
【請求項１２】
ユーザ・インタフェースを更に備え、
前記プロセッサは、前記ユーザ・インタフェースから１または複数の入力があると、前記電気通信デバイスを前記インフォスフィアに追加するために前記レジストリ・サーバと通信するように構成された請求項１１に記載の電気通信デバイス。
【請求項１３】
前記ユーザ・インタフェースからの１または複数の入力は、前記モバイル電話の電話番号を含む請求項１２に記載の電気通信デバイス。
【請求項１４】
ユーザ・インタフェースを更に備え、
前記プロセッサは、前記電気通信デバイスを前記インフォスフィアに追加するために前記レジストリ・サーバと通信する１または複数のソフトウェア・アプリケーションを含み、
前記１または複数のソフトウェア・アプリケーションは、前記ユーザ・インタフェースからの１または複数の入力に応じて起動される請求項１１に記載の電気通信デバイス。
【請求項１５】
ディスプレイを更に備え、
前記プロセッサは更に、前記ユーザ・インタフェースを用いて、前記モバイル電話の電話番号を入力するためのプロンプトを前記ディスプレイ上に生成するように構成された請求項１１に記載の電気通信デバイス。
【請求項１６】
モバイル電話を有するインフォスフィアを遠隔制御するように構成された電気通信デバイスであって、
前記インフォスフィアに第２の電気通信デバイスを追加する要求をレジストリ・サーバから受信し、前記要求を許可または拒否するメッセージを前記レジストリ・サーバへ提供するように構成されたプロセッサを備える電気通信デバイス。
【請求項１７】
前記電気通信デバイスはモバイル電話を備える請求項１６に記載の電気通信デバイス。
【請求項１８】
１または複数のキーを更に備え、
前記プロセッサは更に、前記１または複数のキーからの１または複数の入力があると、前記要求を許可または拒否するメッセージを生成するように構成された請求項１６に記載の電気通信デバイス。
【請求項１９】
１または複数のキーと、ディスプレイとを更に備え、
前記プロセッサは更に、前記１または複数のキーを用いて、前記レジストリ・サーバへの応答を入力するためのプロンプトを前記ディスプレイ上に生成するように構成され、
前記応答は、前記要求を許可または拒否するメッセージを生成するために前記プロセッサによって使用される請求項１６に記載の電気通信デバイス。
【請求項２０】
モバイル電話を有するインフォスフィアを維持する方法であって、
レジストリ・サーバにおいて、前記インフォスフィアに電気通信デバイスを追加する要求を、前記電気通信デバイスから受信することと、
この要求に応じて、前記レジストリ・サーバにおいて、前記電気通信デバイスのネットワーク・アドレスを生成することによって、前記インフォスフィアに前記電気通信デバイスを追加することとを備え、
前記ネットワーク・アドレスは、前記モバイル電話の電話番号に関連付けられている方法。
【請求項２１】
前記ネットワーク・アドレスは、前記モバイル電話の電話番号と、前記電気通信デバイスを識別する情報とから生成される請求項２０に記載の方法。
【請求項２２】
前記ネットワーク・アドレスは、前記電気通信デバイスを識別する情報を、前記モバイル電話の電話番号の終わりに追加されることによって生成される請求項２１に記載の方法。
【請求項２３】
前記レジストリ・サーバにおいて、前記電気通信デバイスのネットワーク・アドレスを、前記電気通信デバイスのＩＰアドレスへマップすることを更に備える請求項２０に記載の方法。
【請求項２４】
前記レジストリ・サーバにおいて、前記インフォスフィア内の電気通信デバイスへのアクセスを試みる第２の電気通信デバイスから、前記ネットワーク・アドレスを受信することと、
前記ネットワーク・アドレスを受信すると、前記インフォスフィア内の電気通信デバイスのＩＰアドレスを前記第２の電気通信デバイスに提供することと
を更に備える請求項２３に記載の方法。
【請求項２５】
前記第２の電気通信デバイスは、前記インフォスフィアの一部である請求項２４に記載の方法。
【請求項２６】
前記電気通信デバイスは、前記モバイル電話を備える請求項２５に記載の方法。
【請求項２７】
前記第２の電気通信デバイスは、前記インフォスフィア外である請求項２４に記載の方法。
【請求項２８】
前記レジスタ・サーバにおいて、前記インフォスフィアに前記電気通信デバイスを追加する許可を、第２の電気通信デバイスから受信することを更に備える請求項２０に記載の方法。
【請求項２９】
前記レジストリ・サーバは、ショート・メッセージ・サービス（ＳＭＳ）を用いることによって、前記電気通信デバイスを前記インフォスフィアに追加する許可を受信する請求項２８に記載の方法。
【請求項３０】
プロセッサのための命令群を含むコンピュータ読取可能媒体であって、前記命令群は、
レジストリ・サーバにおいて、モバイル電話を有するインフォスフィアに電気通信デバイスを追加する要求を、前記電気通信デバイスから受信するように構成されたルーチンと、
この要求に応じて、前記レジストリ・サーバにおいて、前記電気通信デバイスのネットワーク・アドレスを生成することによって、前記インフォスフィアに前記電気通信デバイスを追加するように構成されたルーチンとを備え、
前記ネットワーク・アドレスは、前記モバイル電話の電話番号に関連付けられているコンピュータ読取可能媒体。
【請求項３１】
レジスタ・サーバであって、
モバイル電話を有するインフォスフィアに電気通信デバイスを追加する要求を、前記電気通信デバイスから受信する手段と、
この要求に応じて、前記電気通信デバイスのネットワーク・アドレスを生成することによって、前記インフォスフィアに前記電気通信デバイスを追加する手段とを備え、
前記ネットワーク・アドレスは、前記モバイル電話の電話番号に関連付けられているレジスタ・サーバ。
【請求項３２】
電気通信デバイスであって、
モバイル電話の電話番号をレジストリ・サーバへ提供する手段と、
前記モバイル電話を有するインフォスフィアに電気通信デバイスを追加するためにレジストリ・サーバと通信する手段と
を備える電気通信デバイス。
【請求項３３】
モバイル電話を有するインフォスフィアを遠隔制御するように構成された電気通信デバイスであって、
前記インフォスフィアへ第２の電気通信デバイスを追加する要求を、レジストリ・サーバから受信する手段と、
前記要求を許可または拒否するメッセージを前記レジストリ・サーバへ提供する手段と
を備える電気通信デバイス。
【発明の詳細な説明】
【技術分野】
【０００１】
本開示は、一般に、電気通信に関し、更に詳しくは、１つの電気通信デバイスのユーザが、別の電気通信デバイスにアクセスすることを可能にするシステムおよび技術に関する。
【背景技術】
【０００２】
技術の最近の進歩は、消費者用電気通信デバイスの商業化を大幅に増加させた。今日、電気通信製品のほとんどの消費者は、モバイル電話に加えて、あり余るほどのインターネット・デバイスを所有している。これらインターネット・デバイスは、一例として幾つか挙げると、パーソナルかつラップトップのコンピュータ、パーソナル・デジタル・アシスタント（ＰＤＡ）、テレフォニー・デバイス、ゲーム機、デジタル・カメラ、メディア・デバイスを含みうる。消費者が、自分達の毎日の行動をサポートするために、これらの電気通信デバイスに益々依存し始めると、これらデバイスにアクセスするための簡単で便利で効率的な手段をユーザに提供することが益々重要になる。
【０００３】
現在、インターネット・アクセスを提供する新たな世代のモバイル電話が存在する。ユーザは、インターネットにモバイル電話を接続するプログラムを単に起動して、次に、ユーザがアクセスを求めるインターネット・デバイスのインターネット・プロトコル（ＩＰ）アドレスを入力する。しかしながら、このアプローチは、モバイル電話に限定されていない。コンピュータのようなインターネット・デバイスのユーザは、同じアプローチを使用して、自分のインターネット・デバイスのうちの任意の１つにアクセスすることができる。理論上、このアプローチはうまく行く。しかしながら、ユーザがアクセスを要するインターネット・デバイスの数が拡大すると、ユーザは、各デバイスのＩＰアドレスを覚えていることが益々困難になる。更に、多くのインターネット・デバイスは、パーマネントなＩＰアドレスではなく、新たな各インターネット・セッションとともに変化する動的なＩＰアドレスを持っている。従って、ユーザの様々なインターネット・デバイスにアクセスするためのより効率的な方法に対するニーズが存在する。
【発明の開示】
【０００４】
（３５のＵ．Ｓ．Ｃ．§１１９の下の優先権主張）  
本特許出願は、本願の譲受人に譲渡され、本明細書に参照によって明確に組み込まれた２００５年１０月２５日に出願の"MOBILE PHONE NUMBER ADDRESSING OF NETWORK NODES"と題された米国仮出願６０／７３０，２４４号の優先権を主張する。
【発明の概要】
【０００５】
このニーズに対処する様々な概念が記載される。これら概念は、ユーザのインターネット・デバイスをそのユーザのモバイル電話番号に関連付けるアドレシング・スキームに基づく。
【０００６】
本発明の１つの局面では、レジストリ・サーバは、モバイル電話を有するインフォスフィアに電気通信デバイスを追加する要求を電気通信デバイスから受信し、この要求に応じて、電気通信デバイスのネットワーク・デバイスを生成することによって、インフォスフィアに電気通信デバイスを追加するように構成されたプロセッサを含む。ここで、このネットワーク・アドレスは、モバイル電話の電話番号に関連付けられている。
【０００７】
本発明の別の局面では、電気通信デバイスは、モバイル電話の電話番号をレジストリ・サーバに提供することによって、モバイル電話を有するインフォスフィアに電気通信デバイスを追加するために、レジストリ・サーバと通信するように構成されたプロセッサを含む。
【０００８】
本発明の別の局面では、電気通信デバイスは、モバイル電話を有するインフォスフィアを遠隔制御するように構成されている。この電気通信デバイスは、インフォスフィアに第２の電気通信デバイスを追加する要求をレジストリ・サーバから受信し、この要求を許可または拒否するメッセージをレジストリ・サーバへ提供するように構成されたプロセッサを含む。
【０００９】
本発明の更なる局面では、モバイル電話を有するインフォスフィアを維持する方法は、レジストリ・サーバにおいて、インフォスフィアに電気通信デバイスを追加する要求を、電気通信デバイスから受信することと、この要求に応じて、レジストリ・サーバにおいて、電気通信デバイスのネットワーク・アドレスを生成することによって、インフォスフィアに電気通信デバイスを追加することとを含む。ここで、ネットワーク・アドレスは、モバイル電話の電話番号に関連付けられている。
【００１０】
本発明の更なる局面では、プロセッサのための命令群からなるセットを含むコンピュータ読取可能媒体は、レジストリ・サーバにおいて、モバイル電話を有するインフォスフィアに電気通信デバイスを追加する要求を電気通信デバイスから受信するように構成されたルーチンと、この要求に応じて、レジストリ・サーバにおいて、電気通信デバイスのネットワーク・アドレスを生成することによって、インフォスフィアに電気通信デバイスを追加するように構成されたルーチンとを含む。ここで、ネットワーク・アドレスは、モバイル電話の電話番号に関連付けられている。
【００１１】
本発明の別の局面では、レジストリ・サーバは、モバイル電話を有するインフォスフィアに電気通信デバイスを追加する要求を電気通信デバイスから受信する手段と、この要求に応じて、電気通信デバイスのネットワーク・アドレスを生成することによって、インフォスフィアに電気通信デバイスを追加する手段とを含む。ここで、ネットワーク・アドレスは、モバイル電話の電話番号に関連付けられている。
【００１２】
本発明の別の局面では、電気通信デバイスは、モバイル電話の電話番号をレジストリ・サーバへ提供する手段と、モバイル電話を有するインフォスフィアに電気通信デバイスを追加するためにレジストリ・サーバと通信する手段とを含む。
【００１３】
本発明の更なる局面では、モバイル電話を有するインフォスフィアを遠隔制御するように構成された電気通信デバイスは、インフォスフィアに第２の電気通信デバイスを追加する要求をレジストリ・サーバから受信する手段と、この要求を許可または拒否するメッセージをレジストリ・サーバへ提供する手段とを含む。
【００１４】
本発明の他の実施形態が、発明の様々な実施形態が例示によってのみ示され記載されている以下の詳細記述から、当業者に明らかになることが理解される。理解されるように、本発明は、その他および異なる実施形態も可能であり、その幾つかの詳細は、本発明の精神および範囲から全く逸脱することなく、その他様々な局面において変更することも可能である。従って、図面および詳細記述は、本質的に例示的であって、限定的であるとみなされるべきではない。
【００１５】
添付図面では、通信システムの様々な局面が一例として示され、限定として示されない。
【詳細な説明】
【００１６】
添付図面と関連して以下に述べる詳細説明は、本発明の様々な実施形態を記載するものとして意図されており、本発明が実現される唯一の実施形態を表すようには意図されていない。詳細説明は、本発明の完全な理解を提供することを目的とした具体的な詳細を含んでいる。しかしながら、本発明は、これら具体的詳細がなくても実現可能であることが当業者に明らかになるであろう。幾つかの事例では、周知の構成および構成要素が、本発明の概念を不明確にしないためにブロック図形式で示される。
【００１７】
図１は、電気通信システムの例を図示する概念ブロック図である。この電気通信システム１００は、任意の数のモバイル・デバイスを、様々なパケット・ベース・ネットワークおよび／または回路交換ネットワークに接続する無線ネットワーク１０２を含む。無線ネットワーク１０２は、スペクトラム拡散処理を使用する無線音声サービスおよびデータサービスをサポートする符号分割多元接続（ＣＤＭＡ）ネットワークでありうる。あるいは、無線ネットワーク１０２は、グローバル移動体通信システム（ＧＳＭ）ネットワーク、汎用パケット無線システム（ＧＰＲＳ）ネットワーク、ユニバーサル・モバイル・テレコミュニケーション・システム（ＵＭＴＳ）ネットワーク、あるいはその他の適切な無線ネットワークでありうる。当業者であれば、無線ネットワーク１０２に課せられた設計全体に対する制約とシステム・パラメータに基づいて、任意の特定のアプリケーションに最良に適した特定の無線ネットワークを容易に決定することができるだろう。
【００１８】
無線ネットワーク１０２は、モバイル電話１０４がインターネット１０６に接続する手段として図１で示される。この実施形態では、モバイル電話１０４は、ユーザのインフォスフィア１０８内の任意のインターネット・デバイスとインターネット１０６を介して通信することができる。用語「インフォスフィア」は、ユーザのモバイル電話番号に基づいて共通のアドレシング・スキームを共有する有線および／または無線のデバイスの集合を称する。図１に示すユーザのインフォスフィア１０８は、モバイル電話１０４と、コンピュータ１１０と、ゲーム機１１２と、ＭＰ３プレーヤ等のメディア・デバイス１１４とを含んでいる。
【００１９】
コンピュータ１１０は、インターネット・サービス・プロバイダー（ＩＳＰ）１１６を通じてインターネット１０６に接続されうる。標準的なツイスト・ペア電話線、デジタル加入者線（ＤＳＬ）、ケーブル・モデム、あるいはその他任意の適切な媒体が、コンピュータ１１０とＩＳＰ１１６との間の通信をサポートするために使用されうる。あるいは、コンピュータ１１０は、図１に示す無線ネットワーク１０２を通って、あるいは、例えば、８０２．１１、Ｂｌｕｅｔｏｏｔｈ（登録商標）、ホームＲＦ、超広帯域（ＵＷＢ）、あるいはその他の適切な技術で実現されるローカル・エリア・ネットワーク（ＬＡＮ）のようなその他幾つかの無線媒体を通ってインターネット１０６に対する無線接続を持つことが出来る。
【００２０】
ゲーム機１１２およびメディア・デバイス１１４は、図１で示されるようにコンピュータ１１０に接続されうる。あるいは、ゲーム機１１２および／またはメディア・デバイス１１４は、ＩＳＰ１１６を直接介してそれ自身のインターネット接続を確立することができる。別の実施形態では、ゲーム機１１２および／またはメディア・デバイスは、無線ネットワーク１０２を介して、またはその他幾つかの適切な手段によってインターネットへの無線接続を有することができる。無線接続の場合、ゲーム機１１２および／またはメディア・デバイス１１４は、無線トランシーバを装備することができる。あるいは、インターネット接続をサポートする外部無線モデム（図示せず）を使用することができる。
【００２１】
コンピュータ１１０、ゲーム機１１２、およびメディア・デバイス１１４は、その他の有線デバイスおよび無線デバイスと同様に、モバイル電話１０４またはその他幾つかの電気通信デバイスを用いて、ユーザのインフォスフィア１０８へ追加されたり、インフォスフィア１０８から削除されうる。実例となる一例として、ユーザのインフォスフィア１０８にコンピュータ１１０を追加するプロセスが記載される。この例では、このプロセスは、コンピュータ１１０内のマイクロプロセッサ上で動作するソフトウェア・アプリケーションを用いて、あるいはその他幾つかのソフトウェア構成、ファームウェア構成、および／またはハードウェア構成によって実行されうる。マイクロプロセッサ・ベースのアーキテクチャでは、ユーザは、このプロセスを開始するためにアプリケーション（あるいはその他幾つかのイネーブル機能）を起動する。そして、ユーザは、ユーザのインフォスフィアにコンピュータ１１０を追加する要求とともに、自分のモバイル電話番号をコンピュータ１１０に入力する。同時またはほぼ同時に、コンピュータ１１０は、ＩＳＰ２０８内の相互作用機能（ＩＷＦ：Interworking Function）（図示せず）とのネットワーク接続を確立する。コンピュータ１１０がパーマネントなＩＰアドレスを持っていない場合、ＩＳＰ１１６は、コンピュータ１１０に一時的なＩＰアドレスを割り当てる。コンピュータ１１０は、インターネット１０６を介してレジストリ・サーバ１１８へ情報を送るためにこのＩＰアドレスを使用する。この情報は、コンピュータ１１０のＩＰアドレスと、ユーザのモバイル電話番号と、ユーザのインフォスフィア１０８にコンピュータ１１０を追加する要求とを含む。
【００２２】
レジストリ・サーバ１１８は、ユーザのインフォスフィアにコンピュータ１１０を追加する要求を許可することと、ユーザのモバイル電話番号に基づいて、コンピュータ１１０のネットワーク・アドレスを生成することと、コンピュータのネットワーク・アドレスをコンピュータのＩＰアドレスへマップすることと、その結果をデータベース１２０へ格納することとを含む様々な機能を提供する。レジストリ・サーバ１１８の少なくとも１つの実施形態では、コンピュータのネットワーク・アドレスは、ユーザのインフォスフィア１０８に追加されたデバイスのタイプを識別するサフィックスを備えたユーザのモバイル電話番号を備える。一例として、サフィックス“．ｐｃ”が、ユーザのモバイル電話番号“５５５−１２３４”に追加され、ユーザのインフォスフィア１０８に追加されたデバイスがコンピュータであることが示される。この場合、レジストリ・サーバ１１８は、コンピュータ１１０のＩＰアドレスを、“５５５１２３４．ｐｃ”にマップする。
【００２３】
レジストリ・サーバ１１８の許可機能は、モバイル電話１０４を用いて実施されるか、またはユーザのインフォスフィア１０８に既に属しているその他幾つかのインターネット・デバイスを用いて実施される。図１に示す電気通信システム１００の実施形態では、レジストリ・サーバ１１８が、無線ネットワーク１０２内のショート・メッセージ・サービス（ＳＭＳ）機能を用いて、モバイル電話１０４を介して、要求の許可を得る。ＳＭＳ１２２は、無線ネットワーク１０２に接続された任意の数のモバイル・デバイスとショート・メッセージを交換するエンティティである。このアプローチを使用して、レジストリ・サーバ１１８は、ユーザのインフォスフィア１０８にコンピュータ１１０を追加する許可を要求しているモバイル電話１０４へ、無線ネットワーク１０２を介してメッセージを送るように、ＳＭＳ１２２に対して促す。この許可要求に対する応答は、モバイル電話１０４のユーザによって、ＳＭＳ１２２へ送られる。レジストリ・サーバ１１８は、ＳＭＳ１２２に問い合わせを行い、ユーザのインフォスフィアへコンピュータ１１０を追加する要求が許可されたかを判定する。ユーザがこの要求を認可したと仮定して、レジストリ・サーバ１１８は、コンピュータ１１０のネットワーク・アドレスを作成し、かつ、コンピュータのＩＰアドレスにそのネットワーク・アドレスをマップすることによって、ユーザのインフォスフィアにコンピュータ１１０を追加する。
【００２４】
ユーザのインフォスフィア１０８からコンピュータ１１０を削除するために同様のプロセスが実行される。更に詳しくは、ソフトウェア・アプリケーションを起動することと（またはその他幾つかのイネーブル手段によって）、ユーザのモバイル電話番号を入力することと、コンピュータ１１０がユーザのインフォスフィア１０８から削除されることを要求することとによって、コンピュータ１１０をユーザのインフォスフィアから削除することができる。その後、コンピュータ１１０は、ＩＳＰ１１６を介してインターネットに接続し、その要求とともにレジストリ・サーバ１１８へＩＰアドレスを送る。レジストリ・サーバ１１８は、ＳＭＳ１２２を用いて、ユーザのインフォスフィア１０８からコンピュータ１１０を削除する許可をモバイル電話１０２から取得する。この認可がレジストリ・サーバ１１８によって受信されれば、コンピュータのＩＰアドレスはデータベース１２０から削除される。
【００２５】
ゲーム機１１２および／またはメディア・デバイス１１４も、ユーザのインフォスフィア１０８に追加されるか、ユーザのインフォスフィア１０８から削除される。この手順は、コンピュータ１１０に関して上述したものと類似している。すなわち、ユーザは、ソフトウェア・アプリケーションを起動し（またはその他幾つかのイネーブル機能を実行し）、自分のモバイル電話番号を入力し、ゲーム機１１２および／またはメディア・デバイス１１４がインフォスフィア１０８に追加されるか、そこから削除されるかを要求する。そして、コンピュータ１１０は、ＩＳＰ１１６を通じてインターネット１０６に接続し、その要求とともに、コンピュータのＩＰアドレスをレジストリ・サーバ１１８へ送る。ＳＭＳ１２２を使用して、レジストリ・サーバ１１８は、モバイル電話１０４のユーザから許可を取得し、トランザクションを終える。ゲーム機１１２および／またはメディア・デバイス１１４をユーザのインフォスフィア１０８に追加する要求の場合、レジストリ・サーバ１１８は、ゲーム機１１２および／またはメディア・デバイス１１４のネットワーク・アドレスを生成し、このネットワーク・アドレスを、コンピュータ１１０（ゲーム機１１２および／またはメディア・デバイス１１４のネットワーク・ノード）のＩＰアドレスへマップする。この例では、ゲーム機のネットワーク・アドレスは“５５５−１２３４．ｇｃ”であり、メディア・デバイスのネットワーク・アドレスは“５５５−１２３４．ｍｄ”である。ゲーム機１１２および／またはメディア・デバイスをユーザのインフォスフィア１０８から削除する要求の場合、レジストリ・サーバ１１８は、そのデータベース２１０から、ゲーム機１１２および／またはメディア・デバイス１１４のネットワーク・アドレスを削除する。
【００２６】
ユーザは、別のインターネット・デバイスを介して、自分のインフォスフィア１０８内のインターネット・デバイスにアクセスすることができる。図１では、モバイル電話１０４は、ユーザのインフォスフィア１０８内のインターネット・デバイスにアクセスするために使用される。しかし、本開示に記載された概念は、この実施に全く限定されない。ユーザは、ソフトウェア・アプリケーションを起動することによって（または、その他幾つかのイネーブル機能を実行することによって）、および、目標デバイスのネットワーク・アドレスを入力することによって、自分のインフォスフィアのインターネット・デバイスにアクセスすることができる。一例として、ユーザは、モバイル電話１０４へ“５５５−１２３４．ｐｃ”を入力することにより、コンピュータ１１０にアクセスすることができる。その後、モバイル電話１０４は、無線ネットワーク１０２を介してインターネット接続を確立し、レジストリ・サーバ１１８へネットワーク・アドレスを送る。レジストリ・サーバ１１８は、対応するＩＰアドレスを検索するために自分のデータベース１２０にアクセスし、モバイル電話１０４にそのＩＰアドレスを送る。モバイル電話１０４は、レジストリ・サーバ１１８から受信したＩＰアドレスを用いて、インターネット１０６を介した目標デバイスとの接続を確立する。この接続は、目標デバイス上のユーザの個人ファイルにアクセスするためにモバイル電話１０４によって使用されうる。
【００２７】
目標デバイスからファイルを検索することに加えて、モバイル電話１０４はまた、デバイスを削除する機能を含めて、ユーザのインフォスフィア１０８を管理するためにも用いられる。これは、ソフトウェア・アプリケーションを起動することによって（あるいは、その他の幾つかのイネーブル機能を実行することによって）なされる。そして、ユーザのインフォスフィア１０８におけるデバイスのリストは、モバイル電話１０４上のディスプレイに表示される。キーパッドを使用して、ユーザは、ディスプレイ上にリストされた目標デバイス上にカーソルをロックし、次に、削除キーを打つ。その後、モバイル電話１０４は、内部メモリから、目標デバイスのネットワーク・アドレスを検索し、無線ネットワーク１０２を介したインターネット接続を確立し、ネットワーク・アドレスを、この削除要求とともにレジストリ・サーバ１１８へ送る。この要求に応じて、レジストリ・サーバ１１８は、目標デバイスのネットワーク・アドレスを自分のデータベース１２０から削除し、モバイル電話１０４へアクノレッジメントを送り返し、削除動作が成功したことを示す。
【００２８】
電気通信システム１００の少なくとも１つの実施形態では、ユーザは、自分のインフォスフィアに別のユーザ・アクセスを与えることができる。この概念の例が、図２に関連して記述される。図２は、第１のユーザのインフォスフィア２０２および第２のユーザのインフォスフィア２０４を例示する電気通信システム１００の概念図である。第１のユーザのインフォスフィア２０２は、モバイル電話２０６およびコンピュータ２０８を含んでいる。第１のユーザのモバイル電話番号は“５５５−１２３４”であり、このユーザのコンピュータのネットワーク・アドレスは“５５５１２１２．ｐｃ”である。第２のユーザのインフォスフィア２０４は、モバイル電話２１０、コンピュータ２１２、およびコンピュータ２１２に接続されたメディア・デバイス２１４を含んでいる。第２のユーザのモバイル電話番号は“５５５−５６７８”であり、このユーザのコンピュータおよびメディア・デバイスのネットワーク・アドレスは“５５５−５６７８．ｐｃ”および“５５５−５６７８．ｍｄ”である。
【００２９】
この例において、第２のユーザは、自分のコンピュータ２１２を、第２のユーザのメディア・デバイス２１４上の様々な音楽ファイルに対する第１のユーザのアクセスを許可するようにプログラムしている。第１のユーザは、自分のモバイル電話２０６上でソフトウェア・アプリケーションを起動すること（または、その他幾つかのイネーブル機能）によって、更に、アクセス要求と共に第２のユーザのメディア・デバイス２１４のネットワーク・アドレスを入力することによって、第２のユーザの音楽ファイルにアクセスすることができる。この例において、第１のユーザは、自分のモバイル電話２０６へ“５５５５６７８．ｍｄ”を入力する。そして、モバイル電話２０６は、無線ネットワーク１０２を介してインターネット接続を確立し、第２のユーザのメディア・デバイス２１４のネットワーク・アドレスをレジストリ・サーバ１１８に送る。レジストリ・サーバ１１８は、自分のデータベース１２０における対応するＩＰアドレスを位置決めするためにこのネットワーク・アドレスを使用し、インターネット１０６を介して、第１のユーザのモバイル電話２０６にそのＩＰアドレスを送り返す。図２に示す実施形態では、第２のユーザのコンピュータ２１２は、メディア・デバイス２１４のためのネットワーク・ノードである。従って、モバイル電話２０６に送り返されたＩＰアドレスは、第２のユーザのコンピュータ２１２のＩＰアドレスである。第１のユーザのモバイル電話２０６は、このＩＰアドレスを用いて、インターネット１０６を介して第２のユーザのインターネット１０６との接続を確立する。
【００３０】
この接続は、第２のユーザのメディア・デバイス２１４にアクセスするために、モバイル電話２０６の第１のユーザによって使用される。更に詳しくは、第１のユーザのモバイル電話２０６から第２のユーザのコンピュータ２１２へ要求が送られる。第２のユーザのコンピュータ２１２はこの要求を受信し、自分のデータベースを探索して、それがメディア・デバイス２１４へのアクセスを、第１のユーザに許可したのかを判定する。この探索後、第２のユーザのコンピュータ２１２は、第１のユーザのモバイル電話２０６にメッセージを送り戻し、アクセスが許可されたか拒否されたかを示す。アクセスが許可されたと仮定すると、モバイル電話４０６の第１のユーザが、第２のユーザのメディア・デバイス２１４からの音楽ファイルを見たりダウンロードすることを可能にするために、様々な高次レイヤ・ソフトウェア・アプリケーションが両デバイス上でともに動作することができる。
【００３１】
図３は、レジストリ・サーバの機能を例示する簡略ブロック図である。少なくとも１つの実施形態では、レジストリ・サーバ１１８は、システム・バス３０４を経由して多くの周辺機器と通信する少なくとも１つのプロセッサ３０２を含んでいる。プロセッサ３０２は、ハードウェア、ソフトウェア、ファームウェア、あるいはそれらの任意の組合せで実現することができる。一般に、プロセッサ３０２は、様々なソフトウェア・アプリケーションをサポートするマイクロプロセッサで実現されよう。これらソフトウェア・アプリケーションは、ユーザのインフォスフィアにデバイスを追加するか、ユーザのインフォスフィアからデバイスを削除する要求を許可することと、ユーザのインフォスフィアに追加されたデバイスのネットワーク・アドレスを生成することと、これらネットワーク・アドレスをデバイスのＩＰアドレスへマップすることとを含む多くの機能を提供する。
【００３２】
周辺機器は、一例として、揮発性および不揮発性メモリを備えたコンピュータ読取可能媒体３０６を含むことができる。揮発性メモリは、ダイナミック・ランダム・アクセス・メモリ（ＤＲＡＭ）、スタティック・ランダム・アクセス・メモリ（ＳＲＡＭ）、あるいはその他の適切な高速メモリデバイスでありうる。不揮発性メモリは、大量のデータおよびソフトウェア・アプリケーションのための磁気ハード・ドライブ、光ディスク、および／またはその他の形式の記憶装置を含むことができる。プロセッサ３０２によるメモリ・アクセスの速度を高めるために、不揮発性メモリからのソフトウェア・アプリケーションおよびデータが、揮発性メモリに書き込まれうる。当業者であれば、「コンピュータ読取可能媒体」なる文言が、プロセッサ３０２によってアクセス可能な任意のタイプの記憶デバイスを含んでおり、データ信号を符号化する搬送波をも含んでいることを認識するだろう。
【００３３】
周辺機器はまた、データベース１２０（図１参照）への、ネットワーク・インタフェース３０８を含む様々なインタフェースを含むこともできる。前述したように、データベースは、様々なユーザインフォスフィアのＩＰアドレスとネットワーク・アドレスとの間のマッピング情報を格納する。このデータベースは、無線または有線のＴ１またはＴ３リンク、光ファイバ接続、イーサネット（登録商標）、またはその他のＩＰ接続を用いて、レジストリ・サーバ１１８の外部に存在しうる。あるいは、ハード・ドライブあるいはその他の幾つかの適切な不揮発性メモリであるこのデータベースは、レジストリ・サーバ１１８へ完全に、または部分的に統合されることができる。ネットワーク・インタフェースまたはモデム３１０は、レジストリ・サーバ１１８とインターネットとの間の接続をサポートするプロトコル変換を提供するために用いることができる。
【００３４】
図４は、コンピュータ１１０の機能を例示する簡略ブロック図である。少なくとも１つの実施形態では、コンピュータ１１０は、システム・バス４０４を経由して多くの周辺機器と通信する少なくとも１つのプロセッサ４０２を含んでいる。プロセッサ４０２は、一般に、様々なソフトウェア・アプリケーションをサポートするマイクロプロセッサで一般的に実現されるだろうが、ハードウェア、ソフトウェア、ファームウェア、あるいはそれらの任意の組合せで実現されうる。ソフトウェア・アプリケーションは、コンピュータが、ユーザのインフォスフィアに加わり、かつ、ユーザのモバイル電話１０４（図１参照）へのファイルのダウンロードをサポートすることを可能にする様々な機能を提供する。ソフトウェア・アプリケーションは、システム・バス４０４に結合されたコンピュータ読取可能媒体４０６内であるか、あるいは、コンピュータ１１０の内部または外部のどこかに存在することができる。コンピュータ読取可能媒体４０６は、レジストリ・サーバ１１８（図２参照）に関連して記載されたものに類似の揮発性および不揮発性メモリを含むことができる。
【００３５】
周辺機器は、いくつかの異なるタイプの物理インタフェースを含むことができる。これら物理インタフェースは、ローカル無線モデム４０８、シリアル・ポート４１０、およびＩＲＤＡポート４１２を含むことができるが、当業者であれば容易に理解するように、これら物理インタフェースの任意の組み合わせ、および、その他様々な物理インタフェースがコンピュータ１０において実施されうる。例えば図１に示すゲーム機１１２やメディア・デバイス１１４のような外部デバイスは、インターネットに接続するために、これら物理インタフェースを使用することができる。一例として、ゲーム機１１２（図１参照）は、シリアル・ポート４１０へのケーブルを介してコンピュータ１１０と接続することができる。また、メディア・デバイス１１４（図１参照）は、Ｂｌｕｅｔｏｏｔｈ（登録商標）、ＵＷＢ、あるいはその他任意の適切な無線技術を使用して、ローカル無線モデム４１２を介してコンピュータ１１０に接続することができる。シリアル・ポート４１０は、ＲＳ−２３２、ユニバーサル・シリアル・バス（ＵＳＢ）、あるいはコンピュータ１１０と他のデバイスとの間の物理的なケーブルを必要とするその他任意の通信インタフェースでありえる。ＩＲＤＡポート４１２は、当該技術において周知であるが、その他の適切な光ベースの無線通信インタフェースとなりうる赤外線技術を使用する。
【００３６】
周辺機器はまた、コンピュータ１１０とＩＳＰ１１６（図１参照）との間の物理インタフェースをサポートするネットワーク・モデム４１４をも含むことができる。コンピュータ１１０の１つの実施形態では、ネットワーク・モデム４１４は、標準的なツイスト・ペア電話線をドライブすることができる。あるいは、ネットワーク・モデム４１４は、ＤＳＬモデム、ケーブル・モデム、あるいはコンピュータ１１０とＩＳＰ１１６との間の物理インタフェースをサポートするのに適切なその他のモデムでありうる。
【００３７】
図４に示す残りの周辺機器は、キーパッド４１６およびディスプレイ４１８を含む。これらのデバイスによって、コンピュータのユーザは、例えば、ユーザのインフォスフィアに加わることと、コンピュータ読取可能媒体４０６上や、物理インタフェース４０８，４１０，４１２を介してコンピュータ１１０に接続された外部デバイス上のコンピュータ・ファイルへのアクセスを制御することとを実行することが可能となる。少なくとも１つの実施形態では、ユーザは、コンピュータ読取可能媒体４０６からアプリケーションを起動するためにキーパッド４１６を操作する。このアプリケーションは、プロセッサ４０２にロードされ実行される。プロセッサ４０２によってアプリケーションが実行されると、キーボード４１６を用いて自分のモバイル電話番号を入力するようにユーザに促す表示がディスプレイ４１８になされる。同時あるいはほぼ同時に、プロセッサ４０２は、ネットワーク・モデム４１４によって確立された物理レイヤ・インタフェースを介してインターネットに接続する。インターネットに接続されると、プロセッサは、レジストリ・サーバ１１８（図１参照）およびユーザのモバイル電話１０４（図１参照）を含む任意のアクセス可能インターネット・ノードとの通信を確立することができる。
【００３８】
図５は、モバイル電話１０４の機能を例示する簡略ブロック図である。少なくとも１つの実施形態では、モバイル電話１０４は、図４に関して記載されたコンピュータとほぼ同じ方式で構成されている。すなわち、プロセッサ５０２または多数のプロセッサは、システム・バス５０４を介して多くの周辺機器と通信する。これら周辺機器は、ソフトウェア・アプリケーションおよびデータを格納するコンピュータ読取可能媒体５０６と、無線ネットワーク１０２（図１参照）内のアクセスポイントとの物理レイヤ接続をサポートする無線トランシーバ５０８と、ユーザがモバイル電話１０４の操作を制御することを可能にするユーザ・インタフェース５１０とを含む。ユーザ・インタフェース５１０は、一連のキー、キーパッド、ディスプレイ、および／またはその他のユーザ・インタフェース・デバイスを含みうる。
【００３９】
ユーザ・インタフェース５１０は、ユーザが、自分のインフォスフィア内のインターネット・デバイスを遠隔から制御および管理することを可能にする様々なアプリケーションを起動するために使用されうる。モバイル電話１０４の幾つかの実施形態では、これらのアプリケーションによってユーザはまた、他のユーザのインフォスフィア内のインターネット・デバイスにもアクセスすることが可能となる。少なくとも１つの実施形態では、ユーザは、ユーザ・インタフェース５１０を用いて、コンピュータ読取可能媒体４０６からアプリケーションを起動したり、それをプロセッサ５０２へロードする。プロセッサ５０２によってアプリケーションを実行することによって、物理レイヤ・インタフェースを介したインターネット接続が無線トランシーバ５０８によって確立される。インターネットに接続されると、プロセッサ５０２は、レジストリ・サーバ１１８（図１参照）と自分のインフォスフィア内の様々なインターネット・デバイスとを含む任意のアクセス可能インターネット・ノードとの通信を確立することができる。
【００４０】
レジストリ・サーバ１１８、コンピュータ１１０、モバイル電話１０４、およびその他の電気通信デバイスが実際に実現される方式は、特定のアプリケーションや、システム全体に課せられる設計制約に基づいて変わるだろう。当業者であれば、これら環境におけるハードウェア構成、ファームウェア構成、およびソフトウェア構成の相互置換性と、各特定のアプリケーションのための記載された機能をどのようにして最良に実現するかを認識するだろう。
【００４１】
図６は、レジストリ・サーバの代替実施形態のブロック図である。レジストリ・サーバ１１８は、モバイル電話を有するインフォスフィアに電気通信デバイスを追加する要求を電気通信デバイスから受信する受信手段６０２を含む。このレジストリ・サーバはまた、電気通信デバイスのネットワーク・アドレスを生成する手段も含んでいる。ここで、ネットワーク・アドレスは、モバイル電話の電話番号に関連付けられている。
【００４２】
図７は、例えば図４のコンピュータ１１０のような電気通信デバイスの代替実施形態のブロック図である。電気通信デバイスは、モバイル電話７０２の電話番号をレジストリ・サーバへ提供する手段と、モバイル電話を有するインフォスフィアに電気通信デバイスを追加するためにレジストリ・サーバと通信する通信手段とを含む。
【００４３】
図８は、例えば図５のモバイル電話のような電気通信デバイスの代替実施形態のブロック図である。この電気通信デバイスは、モバイル電話を有するインフォスフィアを遠隔制御するように構成されうる。この電気通信デバイスは、第２の電気通信デバイスをインフォスフィアに追加する要求をレジストリ・サーバから受信する受信機８０２と、この要求を許可または拒否するメッセージをレジストリ・サーバへ提供するメッセージ・プロバイダ８０４とを含む。
【００４４】
本明細書で開示された実施形態に関連して記述された様々な例示的な論理ブロック、モジュール、回路、要素、および／または構成要素は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、あるいはその他のプログラマブル論理構成要素、ディスクリート・ゲートあるいはトランジスタ・ロジック、ディスクリート・ハードウェア構成要素、又は上述された機能を実現するために設計された上記何れかの組み合わせを用いて実現又は実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００４５】
本明細書で開示された実施形態に関連して記述された方法やアルゴリズムは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。記憶媒体は、プロセッサがそこから情報を読み取り、またそこに情報を書き込むことができるようにプロセッサに結合される。または、記憶媒体はプロセッサに統合されることができる。
【００４６】
開示された実施形態における上述の記載は、当業者をして、本明細書に記載の様々な実施形態を実現可能とするように提供される。これらの実施形態への様々な変形例もまた、当業者には明らかであって、本明細書で定義された一般的な原理は、他の実施形態にも適用されうる。従って、特許請求の範囲、本明細書で示された実施形態に限定されるものではなく、単数の要素に対する参照は、明示的に述べられていないのであれば「１および１のみ」を意味するのではなく、「１または複数」を意味することが意図されている特許請求の範囲の文言と整合した全ての範囲に相当することが意図されている。当業者に知られているか、後に知られるようになる本開示を通じて記載されている様々な実施形態の要素に対する全ての構造的および機能的な均等物が、参照によって本明細書に明確に組み込まれており、特許請求の範囲に含まれていることが意図される。更に、そのような開示が特許請求の範囲において明示的に記述されているかに関わらず、本明細書で示された何れも、公衆に放棄されることは意図されていない。要素が、「〜する手段」（means for）という文言を用いて、方法請求項の場合には「〜するステップ」（step for）という文言を用いて明示的に示されていないのであれば、いかなる請求項の要素も、３５Ｕ．Ｓ．Ｃ１１２条第６パラグラフの条項の下で解釈されるべきではない。
【図面の簡単な説明】
【００４７】
【図１】図１は、ユーザのインフォスフィアをサポートする電気通信システムの概念図である。
【図２】図２は、多くのユーザのインフォスフィアをサポートする電気通信システムの概念図である。
【図３】図３は、図１および図２の通信システムにおけるレジストリ・サーバのブロック図である。
【図４】図４は、図１および図２の通信システムにおけるコンピュータのブロック図である。
【図５】図５は、図１および図２の通信システムにおけるモバイル電話のブロック図である。
【図６】図６は、図１および図２の通信システムにおけるレジストリ・サーバの代替実施形態のブロック図である。
【図７】図７は、図１および図２の通信システムにおけるコンピュータの代替実施形態のブロック図である。
【図８】図８は、図１および図２の通信システムにおけるモバイル電話の代替実施形態のブロック図である。
【図１】
2009514440.tif 000003
【図２】
2009514440.tif 000004
【図３】
2009514440.tif 000005
【図４】
2009514440.tif 000006
【図５】
2009514440.tif 000007
【図６】
2009514440.tif 000008
【図７】
2009514440.tif 000009
【図８】
2009514440.tif 000010
【国際調査報告】
2009514440.tif 000011
2009514440.tif 000012
2009514440.tif 000013